(57)【要約】【課題】複数段上下に配置した棚の間の間隔に影響を与えずにトレーの前側から操作可能な係止装置を提供する。【解決手段】トレー内に貯蔵される商品を補充し或いは取出すことを容易にするようホルダアーム５上にて伸びることのできる傾斜した貯蔵トレー４を有する幾つかの棚３を備える棚のスタンド内に設ける係止装置。係止装置は、トレーが伸びたとき、トレーの上側部又は下側部に配置された通路１０、１６内を動く葉形状の係止フック９、１５を備えている。該係止フックは、トレーの後側部に面する端部にて、ホルダ５内の回動支点１３、１３ａに接続され、また、トレー４がその使用位置まで引込んだとき、他端にて、通路１０、１６から伸びており、係止フック９、１５のフック形状部分１４、１９がトレーの前端縁における係止板１２、１８と協働し得るように配置される。【選択図】  図４
2007069004.tif 000002
【特許請求の範囲】
【請求項１】
トレー内に貯蔵される商品を補充し或いは取出すことを容易にするようにホルダアーム（５）上にて伸びることのできる傾斜した貯蔵トレー（４）を有する幾つかの棚（３）を備える棚のスタンド内の装置であって、トレーの前側部から操作されることによってトレー（４）が引込んだ位置に固定されるようにする係止装置において、前記係止装置は、トレーが伸ばされるときに、トレーの上側部又は下側部に配置された通路（１０、１６）内を動く葉形状の係止フック（９、１５）を備え、該葉形状の係止フックは、トレーの後側部に面する端部にて、ホルダアーム（５）内の回動支点（１３、１３ａ）に接続され、他端にて、トレーの前端縁における係止板（１２、１８）と協働し得るように配置されたフック形状部分（１４，１９）を備え、トレー（４）が引込められたとき、通路（１０、１６）から伸びて、前記係止板（１２，１８）が前記係止フック（９、１５）のフック形状部分（１４、１９）内に係合することを特徴とする、棚のスタンド内の装置。
【請求項２】
請求項１に記載の装置において、係止フック（９、１５）は、トレーの上側部又は下側部に結合されたＵ字形シートにより形成された通路（１０、１６）内を伸びることを特徴とする、装置。
【請求項３】
請求項２に記載の装置において、係止フック（９）は、回動支点（１３）に回転可能に接続され、Ｕ字形通路（１０）は、係止フックが持ち上げられトレー（４）の前端縁における係止板（１２）と係合することができるような高さを有することを特徴とする、装置。
【請求項４】
請求項２に記載の装置において、係止フック（１５）は、通路（１６）内にて殆んど遊び無しに配置され、且つ、トレー（４）の前端縁上に回転可能に配置された係止板（１８）と協働し得るように配置され、該板は、トレーが引込んだとき、係止フック（１８）のフック形状部分（１９）と係合することを特徴とする、装置。
【請求項５】
請求項１ないし４の何れか１つの項に記載の装置において、係止フック（９、１５）と係止板（１２、１８）との間の係合は、重力又はばね力によることを特徴とする、装置。
【発明の詳細な説明】
【技術分野】
【０００１】
本発明は、トレー内に貯蔵される商品を補充し或いは取出すことを容易にし得るようにホルダアーム上にて伸びることのできる幾つかの棚、すなわち傾斜した貯蔵トレーを有する幾つかの棚（３）を備える棚のスタンド内の装置であって、トレーの前側から操作でき、トレーを引込んだ位置に固定できるようにする係止装置に関するものである。
【背景技術】
【０００２】
かかる棚スタンドは、スウェーデン国特許明細書４４９２９３号に開示されており、それにおいては、扇形の伸長可能な幾つかの棚又はトレーは、中央柱から伸びるアーム上に支承されており、このため、トレーは、僅かに下方に傾斜するよう配置された円形の棚を形成する。トレーには、該トレーを引込んだ位置及び伸びた位置にそれぞれ係止する係止手段が設けられる。また、同種の棚スタンドが特開昭６２−９７５１２号公報に開示されている。
【特許文献１】スウェーデン国特許明細書４４９２９３号
【特許文献２】特開昭６２-９７５１２号公報
【発明の開示】
【発明が解決しようとする課題】
【０００３】
このため、棚スタンドの全高さが可能な限り低くなるように、棚の間の距離は、棚上に貯蔵される商品の高さを大きく超えないことが望ましい。１つの課題は、棚の間の距離の問題に立ち入らず、しかし、その係止装置をトレーの前側から操作することを可能にする係止装置を実現することである。
【課題を解決するための手段】
【０００４】
本発明の目的は、上記の課題を解決する係止装置を実現することであり、この目的は、本発明に従って、特許請求の範囲に記載された特徴を有する係止装置により実現される。
【発明を実施するための最良の形態】
【０００５】
本発明は、図面に示した実施の形態に関して以下により詳細に開示する。
図１に示した棚スタンドは、基部又は台部２により支持される中央柱１を備えている。該中央柱１は、個々に柱１の回りにて回転可能である、次々に積み重ねて配置した幾つかの棚３を支承している。
【０００６】
棚の各々は、中央柱１上に回転可能に配置されたホルダ６から伸びるアーム５上を伸びることのできる実質的に扇形の幾つかの棚部分又はトレー４から成っている。トレーには、相応するアーム５の上に入れ子式に伸縮可能に配置され且つ、支持ホイール８（図４）上に支承されたスリーブ状部材７が設けられており、このため、トレー４は、完全に引込んだ位置と伸びた位置との間を動くことができる。アーム５は下方に傾斜しており、このため、棚に載った商品はトレーを伸ばすことを必要とせずに、前側部に対し下方に滑動する。その状態が生じない、或いは商品が棚に再度充填されているならば、トレーを伸ばし得ることが必要である。トレ−４を伸びた状態にて示す図２を参照。トレー４がスタンド内にて伸びることは、例えば、トレー４のスリーブ７のスリット（図示せず）内を動く、アーム５上に配置された止めねじによって既知の仕方にて制限される。
【０００７】
トレーは傾斜しているから、トレーの外端縁から容易に操作される係止装置は、引込んだ位置にてトレーを固定しなければならない。既知の固定手段がホルダ６に面するトレーの後端縁に配置されており、この固定手段は、トレー４の下方に配置された露出したアームによって操作し、該アームは、トレーの間のスペースに影響を与える。
【０００８】
これに代えて、本発明によれば、図３ないし図５に示した細長い葉状の係止アーム又はフック９が設けられる。該係止アーム又はフック９は、トレー４の上側部に形成された通路１０内を伸びている。該通路は、スリーブ７と接続され且つ、逆Ｕ字形の形状のシート１１により形成される。該シートは、トレーの実質的に中央にて、トレー４の底部の上面に溶接等によって結合されている。通路１０は、固定フック９の厚さよりも遥かに幅が広く、このため、固定フックは、通路の側部に対して殆んど遊びなしに、通路内を自由に動くことができる一方、より大きい垂直方向への遊びが、係止フック９がトレー４の前側部上の係止板１２と係合し且つ係合から外れることを許容する。この目的のため、係止フック９は、その内端においてアーム５の内端に締結された回動支点１３にて支承されており、このため、係止フック９の外側のフック形状部分が板１２をつかみ、トレー４を引込んだ位置に係止するとき、係止フックは、上方に回動することができる。この目的のため、係止フック９の外端は、丸味が付けられており、このため、係止フック９は、該フックがシート１２を当たると、持ち上がり、また、重力により下がり、切欠き１４が板１２の上を被さる。
【０００９】
図６ないし図８示した実施の形態において、上方に折り返した部分１５ａを有する固定フック１５は、図４の回動支点１３に相応するアーム５上の回動支点１３ａ上に支承され、また、通路１６内にてトレー４の下側部に対し平坦に配置される。該通路１６は、この場合、トレー内で実質的に中央にて上記下側部に溶接等によって結合されたＵ字形の板１７により形成される。この場合、トレー４が伸びるとき、フック１５は、通路１６の長手方向でのみ移動自在でなければならないから、固定フック１５と通路１６の側部との間に僅かな遊びのみが存在する。このようにトレー４は、トレーが引込んだとき、曲がった部分１８によってフック１５の切欠き１９と係合するトレーの前側部に取付けられた差し錠２０によって引込んだ位置に係止される。差し錠２０は、弾性材料で出来ており、図示した係止位置に対し偏倚され、また、トレー４が伸ばされるとき、作動アーム２１によりフック１５の切欠き１９との係合状態から外すことができる。
【００１０】
上記のことから、トレー４の上方又は下方の狭い通路１０、１６内に保持された葉形状の係止フック９、１５を有する実施の形態は、トレーの高さを増さないが、棚３の間の距離を、棚に貯蔵すべき商品の高さに完全に適応させることができることは明らかである。
トレー４が例えば、商品を補充するため伸びなければならないときには、係止フック９を板１２との係合状態から持ち上げるか（図４参照）、又は差し錠２０を切欠き１９との係合から外し（図７参照）、トレーが解放されるようにする。トレー４が再度引込められると、係止フック９、１５は、それぞれ係止板１２或いは差し錠２０と係合し、トレーはそれらの通常の取り付け位置に係止される。係止装置をトレーの前端縁に配置することにより、簡単で及び且つ安全に機能することになる。
【００１１】
本発明は、開示した実施の形態に限定されるものではなく、係止装置を図示したもの以外の棚スタンド及びトレーに適応するよう変更することが可能であることが明らかである。
【図面の簡単な説明】
【００１２】
【図１】本発明に従った係止装置を使用することのできる既知の技術の棚スタンドの一例を示す図である。
【図２】図１に示したスタンドの棚の平面図である。
【図３】本発明に従った係止装置が設けられた、スタンドの伸長可能なトレーの中央部分からの断面斜視図である。
【図４】作動状態にある、図３に示した係止装置のより拡大縮尺による側面図である。
【図５】図４の線Ｖ−Ｖに沿ったより拡大縮尺による断面図である。
【図６】本発明に従った別の型式の係止装置を備える伸長可能なトレーの中央部分からの、図３と同様の断面斜視図である。
【図７】図６の係止装置のより拡大縮尺による側面斜視図である。
【図８】図７の線ＶＩＩＩ−ＶＩＩＩに沿ったより拡大縮尺による断面図である。
【符号の説明】
【００１３】
１：中央柱    ２：基部又は台部    ３：棚    ４：トレー    ５：アーム    ６：ホルダ    ７：スリーブ状部分    ８：支持ホイール    ９：固定フック／係止フック    １０：通路    １１：逆Ｕ字形の形状のシート    １２：係止板    １３、１３ａ：回動支点    １４：切欠き／フック形状部分    １５：固定フック／係止フック    １６：通路    １７：Ｕ字形板    １８：曲がった部分／係止板    １９：切欠き／フック形状部分    ２０：差し錠    ２１：作動アーム
【図１】
2007069004.tif 000003
【図２】
2007069004.tif 000004
【図３】
2007069004.tif 000005
【図４】
2007069004.tif 000006
【図５】
2007069004.tif 000007
【図６】
2007069004.tif 000008
【図７】
2007069004.tif 000009
【図８】
2007069004.tif 000010